(57)【要約】【課題】  表示パネルを複数機種に渡って共有することができて、コスト低減化を図ることができ、更に、分離ユニットの軽量化、取り扱い容易化、梱包作業の容易化を図ることができるようにした遊技機を提供する。【解決手段】  筐体1には、回転リール3の前面側に位置して、遊技情報を表示可能な表示ユニット板30を回転自在に取り付け、上扉21には上扉用係合ヒンジ部50の一方が設けられるとともに、リールユニット10の正面側の左右縁のいずれか一方には、上扉21の上扉用係合ヒンジ部50と回転自在に係合する他方の上扉用係合ヒンジ部50が設けてあり、表示ユニット板30には表示ユニット板用係合ヒンジ部60の一方が設けられるとともに、上扉用係合ヒンジ部50と左右反対側の筐体1の開口縁には、表示ユニット板30の表示ユニット板用係合ヒンジ部60と回転自在に係合する他方の表示ユニット板用係合ヒンジ部60が設けてあることを特徴とする。【選択図】    図１
2006102287.tif 000002
【特許請求の範囲】
【請求項１】
正面側に開口する正面開口部を有する筐体と、前記筐体に固定するとともに前記筐体から分離して交換可能な分離ユニットとを備えた分離型の遊技機において、
前記分離ユニットは、
前記筐体の正面開口部の上部を開閉自在に塞ぐ上扉と、
複数の図柄が表示された回転リール及びこの回転リールを回転表示させるための駆動手段を有するリールユニットとを備え、
前記筐体には、前記回転リールの前面側に位置して、遊技情報を表示可能な表示ユニット板を回転自在に取り付け、
前記上扉には上扉用係合ヒンジ部の一方が設けられるとともに、前記リールユニットの正面側の左右縁のいずれか一方には、前記上扉の前記上扉用係合ヒンジ部と回転自在に係合する他方の上扉用係合ヒンジ部が設けてあり、
前記表示ユニット板には表示ユニット板用係合ヒンジ部の一方が設けられるとともに、前記上扉用係合ヒンジ部と左右反対側の前記筐体の開口縁には、前記表示ユニット板の前記表示ユニット板用係合ヒンジ部と回転自在に係合する他方の表示ユニット板用係合ヒンジ部が設けてあることを特徴とする遊技機。
【請求項２】
前記表示ユニット板は、前記回転リールの前面側の周囲に形成されていることを特徴とする請求項１記載の遊技機。
【請求項３】
前記表示ユニット板は、液晶パネルを備えていることを特徴とする請求項１又は請求項２記載の遊技機。
【請求項４】
前記表示ユニット板は、装飾パネルを備えていることを特徴とする請求項１又は請求項２記載の遊技機。
【請求項５】
前記表示ユニット板及び前記上扉は、前記リールユニットの前面側に２枚の板状に重なるように配置されることを特徴とする請求項１乃至４のいずれか１項に記載の遊技機。
【発明の詳細な説明】
【技術分野】
【０００１】
この発明は、表示ユニット板を筐体に据え置き可能な遊技機に関するものである。
【背景技術】
【０００２】
従来、この種の遊技機としては、スロットマシンがあるが、枠状の支持体に少なくともリールユニット及び制御装置を設置した交換ユニットを、筐体（本体キャビネット）内部に着脱自在に形成したものが知られている（例えば、特許文献１。）。
そして、交換ユニットの左端側には、筐体の正面開口部の上部を開閉自在に塞ぐ、上扉が、ヒンジによって回転可能に軸支されていた。そして、かかる上扉の正面側のパネルには、遊技内容や種々の演出を表示するための７セグメントのＬＥＤや、液晶表示装置や、ランプ等の電飾が正面側のパネルに取り付けられている。
【特許文献１】特開２００３−０４７６８６号公報
【発明の開示】
【発明が解決しようとする課題】
【０００３】
しかし、上記した従来の遊技機では、全面液晶装置や、面状発光体や、電飾付きパネルや、単なる装飾パネル等の表示パネルは、遊技内容が異なる複数の機種に渡って共用可能なものを、機種交換の際、毎回、交換してしまうと、その都度、その液晶装置や、電飾等の部品装置が必要となって、コストが高くなってしまうという第１の問題点があった。また、そのような液晶装置や電飾等も含めると、分離ユニットの総合重量が大きくなってしまい、取り扱いが容易ではないといった第２の問題点があった。また、かかる液晶表示装置や、電飾等を有するパネルは、もちろんであるが、有さないパネルに至っても、取り扱いや、輸送のときに、それらの装置や、パネル等を破損しないように衝撃を吸収させるための包装が必要となって、梱包作業に手間がかかってしまうという第３の問題点があった。
【０００４】
そこで、各請求項にそれぞれ記載された各発明は、上記した従来の技術の有する問題点に鑑みてなされたものであり、その目的とするところは、次の点にある。
（請求項１）  すなわち、請求項１記載の発明は、上記した従来の技術の有する第１から第３までの問題点に鑑みてなされたものであり、その目的とするところは、表示パネルを複数機種に渡って共有することができて、コスト低減化を図ることができ、更に、分離ユニットの軽量化、取り扱い容易化、梱包作業の容易化を図ることができるようにした遊技機を提供しようとするものである。
（請求項２）  請求項２記載の発明は、上記した請求項１記載の発明の目的に加え、次の点を目的とする。すなわち、請求項２記載の発明は、前面側から回転リールの視認を確実なものにすることができるようにした遊技機を提供しようとするものである。
【０００５】
（請求項３）  請求項３記載の発明は、上記した請求項１又は請求項２記載の発明の目的に加え、次の点を目的とする。すなわち、請求項３記載の発明は、液晶パネルを共用することができて、製造コストを抑えるとともに、分離ユニットの取り扱いを容易なものにすることができるようにした遊技機を提供しようとするものである。
（請求項４）  請求項４記載の発明は、上記した請求項１又は請求項２に記載の発明の目的に加え、次の点を目的とする。すなわち、請求項４記載の発明は、装飾パネルを機種変更毎に、交換する必要がなく、製造コスト低減化、取り扱い容易化、梱包作業の容易化を図ることができるようにした遊技機を提供しようとするものである。
【０００６】
（請求項５）  請求項５記載の発明は、上記した請求項１乃至４のいずれか１項に記載の発明の目的に加え、次の点を目的とする。すなわち、請求項５記載の発明は、ゴト行為の発生を抑えることができるようにした遊技機を提供しようとするものである。
【課題を解決するための手段】
【０００７】
（請求項１）  請求項１記載の発明は、次の点を特徴とする。すなわち、正面側に開口する正面開口部(27)を有する筐体(1)と、前記筐体(1)に固定するとともに前記筐体(1)から分離して交換可能な分離ユニット(40)とを備えた分離型の遊技機(S)において、前記分離ユニット(40)は、前記筐体(1)の正面開口部(27)の上部を開閉自在に塞ぐ上扉(21)と、複数の図柄(19)が表示された回転リール(3)及びこの回転リール(3)を回転表示させるための駆動手段を有するリールユニット(10)とを備え、前記筐体(1)には、前記回転リール(3)の前面側に位置して、遊技情報を表示可能な表示ユニット板(30)を回転自在に取り付け、前記上扉(21)には上扉用係合ヒンジ部(50)の一方が設けられるとともに、前記リールユニット(10)の正面側の左右縁のいずれか一方には、前記上扉(21)の前記上扉用係合ヒンジ部(50)と回転自在に係合する他方の上扉用係合ヒンジ部(50)が設けてあり、前記表示ユニット板(30)には表示ユニット板用係合ヒンジ部(60)の一方が設けられるとともに、前記上扉用係合ヒンジ部(50)と左右反対側の前記筐体(1)の開口縁には、前記表示ユニット板(30)の前記表示ユニット板用係合ヒンジ部(60)と回転自在に係合する他方の表示ユニット板用係合ヒンジ部(60)が設けてあることを特徴とする。
【０００８】
また、ここで、「回転リール(3)」とあるのは、周囲に複数の図柄を表示したものが、実際に回転するようなものに限定されるものではなく、液晶画面にあたかも回転リールが回転しているかのごとく表示されるようなものも含まれるものである。具体的には、例えば、パチンコ機等の遊技盤面の中央に設けた液晶装置を使用することにより、周囲に複数の図柄を表示した回転リールが回転するような画像を当該液晶装置によって遊技者に向かって表示するものも含まれる。
なお、ここで、遊技情報を表示可能な表示ユニット板(30)は、遊技内容や、種々の入賞演出や、当選入賞等の情報を表示可能な液晶表示装置や、７セグメントのＬＥＤからなる所定の遊技回数等を表示可能な情報表示部(24)や、種々のランプの点灯点滅が可能な電飾等を設けてあるものを含む。また、この表示ユニット板(30)は、遊技内容の説明や、遊技内容に関連するキャラクターを描画したパネルを含む。
【０００９】
（作用）  本発明は、遊技情報を表示可能な表示ユニット板(30)を、筐体(1)の開口縁に表示ユニット板用係合ヒンジ部(60)を介して回転自在に取り付けてある。そして、筐体(1)から分離して分離可能な分離ユニット(40)は、リールユニット(10)及び上扉(21)を有している。このため、いわゆる新台入れ替え等の機種変更の際、分離ユニット(40)を取り外して新たな分離ユニット(40)を取り付けることにより、古い上扉(21)及びリールユニット(10)を取り外して、新しい上扉(21)及びリールユニット(10)を、一纏めにして筐体(1)に取り付けることができる。そして、そのような機種変更を伴う交換作業において、遊技情報を表示可能な表示ユニット板(30)は、筐体(1)に表示ユニット板用係合ヒンジ部(60)を介して、取り付けたまま行うことができる。これにより、遊技情報を表示可能な表示ユニット板(30)は、遊技内容が異なる複数の機種に渡って共用することができる。したがって、機種交換の際、その都度、遊技情報を表示可能な部品装置等が必要となって、製造コストが高くなってしまうようなことを回避することができる。
【００１０】
また、分離ユニット(40)に表示ユニット板(30)が含まれていないため、分離ユニット(40)に表示ユニット板(30)の重量も含まれるような場合と比較して、分離ユニット(40)の総合重量を小さくすることができて、機種変更の交換作業の際、分離ユニット(40)の取り扱いを容易なものにすることができる。
また、分離ユニット(40)に表示ユニット板(30)が含まれていないため、遊技情報を表示する部品装置や、電飾等や、パネル板等の表示ユニット板(30)を破損しないようにするのに、輸送の際や、荷物の上げ下ろしの際の衝撃を吸収する包装等を簡単なものにすることができて、梱包作業を容易なものにすることができる。
【００１１】
（請求項２）  請求項２記載の発明は、上記した請求項１記載の発明の特徴点に加え、次の点を特徴とする。すなわち、前記表示ユニット板(30)は、前記回転リール(3)の前面側の周囲に形成されていることを特徴とする。
（作用）  本発明は、表示ユニット板(30)が、回転リール(3)の前面側の周囲に形成されているため、回転リール(3)の前面側から見た場合、回転リール(3)を表示ユニット板(30)により邪魔されずに、見ることができる。これにより、前面側から回転リール(3)の視認を確実なものにすることができる。
（請求項３）  請求項３記載の発明は、上記した請求項１又は請求項２記載の発明の特徴点に加え、次の点を特徴とする。すなわち、前記表示ユニット板(30)は、液晶パネル(31)を備えていることを特徴とする。
【００１２】
（作用）  本発明は、表示ユニット板(30)が液晶パネルを備えているため、単価の比較的高い液晶パネルを、機種変更毎に、交換する必要がなく、製造コストを抑えることができる。また、分離ユニット(40)に精密部品である液晶パネル(31)を有さないため、分離ユニット(40)の取り扱いを容易なものにすることができる。
（請求項４）  請求項４記載の発明は、上記した請求項１又は請求項２に記載の発明の特徴点に加え、次の点を特徴とする。すなわち、前記表示ユニット板(30)は、装飾パネル(32)を備えていることを特徴とする。
（作用）  本発明は、表示ユニット板(30)が装飾パネル(32)を備えているため、装飾パネル(32)を機種変更毎に、交換する必要がなく、製造コスト低減化、取り扱い容易化、梱包作業の容易化を図ることができる。また、逆に、装飾パネル(32)だけを簡単に取り替えることもできるため、簡単に、遊技機(S)の外観形状を変えることができて、遊技機(S)のの外観印象を替えることもできる。
【００１３】
（請求項５）  請求項５記載の発明は、上記した請求項１乃至４のいずれか１項に記載の発明の特徴点に加え、次の点を特徴とする。すなわち、前記表示ユニット板(30)及び前記上扉(21)は、前記リールユニット(10)の前面側に２枚の板状に重なるように配置されることを特徴とする。
（作用）  本発明は、表示ユニット板(30)及び上扉(21)は、リールユニット(10)の前面側に２枚の板状に重なるように配置されているため、リールユニット(10)の前面側には、表示ユニット板(30)及び上扉(21)による２重の防護壁が形成されていることとなって、筐体(1)の正面側からの隙間より異物を挿入して、不正操作行為、いわゆるゴト行為の発生を抑えることができる。
【００１４】
また、筐体(1)外部から、筐体(1)内部に到達するためには、上扉(21)を上扉用係合ヒンジ部(50)の周りに、リールユニット(10)の正面側の左右縁のいずれか一方側に開き、その後、表示ユニット板(30)を、表示ユニット板用係合ヒンジ部(60)の周りに、リールユニット(10)の正面側の左右縁の他方側（すなわち、上扉(21)を開いた左右反対側）に開かなければならない。このように、所定の手順を経なければ筐体(1)内部に到達しないため、ゴト行為者が、上扉(21)だけを少しだけ開けて、その隙間から筐体(1)内部に手や異物を入れて簡単にゴト行為が行われるようなことを抑えることができる。
【発明の効果】
【００１５】
本発明は、以上のように構成されているので、以下に記載されるような効果を奏する。
（請求項１）  請求項１記載の発明によれば、次のような効果を奏する。すなわち、請求項１記載の発明によれば、表示パネルを複数機種に渡って共有することができて、コスト低減化を図ることができ、更に、分離ユニットの軽量化、取り扱い容易化、梱包作業の容易化を図ることができるようにした遊技機を提供することができる。
（請求項２）  請求項２記載の発明によれば、上記した請求項１記載の発明の効果に加え、次のような効果を奏する。すなわち、請求項２記載の発明によれば、前面側から回転リールの視認を確実なものにすることができるようにした遊技機を提供することができる。
【００１６】
（請求項３）  請求項３記載の発明によれば、上記した請求項１又は請求項２記載の発明の効果に加え、次のような効果を奏する。すなわち、請求項３記載の発明によれば、液晶パネルを共用することができて、製造コストを抑えるとともに、分離ユニットの取り扱いを容易なものにすることができるようにした遊技機を提供することができる。
（請求項４）  請求項４記載の発明によれば、上記した請求項１又は請求項２に記載の発明の効果に加え、次のような効果を奏する。すなわち、請求項４記載の発明によれば、装飾パネルを機種変更毎に、交換する必要がなく、製造コスト低減化、取り扱い容易化、梱包作業の容易化を図ることができるようにした遊技機を提供することができる。
【００１７】
（請求項５）  請求項５記載の発明によれば、上記した請求項１乃至４のいずれか１項に記載の発明の効果に加え、次のような効果を奏する。すなわち、請求項５記載の発明によれば、ゴト行為の発生を抑えることができるようにした遊技機を提供することができる。
【発明を実施するための最良の形態】
【００１８】
（図面の説明）  図１乃至図４は、本発明の実施の形態を示すものである。図１は筐体から分離ユニットを取り外している状態の外観斜視図、図２は分離ユニットの横断面図、図３は筐体内部に分離ユニットを挿入して、上扉及び表示ユニット板を開いている状態の外観斜視図、図４は遊技機の外観正面図をそれぞれ示すものである。
（遊技機S）  本実施の形態に係る遊技機Sは、具体的には、スロットマシンであって、大きく分けて、正面側に開口する正面開口部27を有する筐体1と、この筐体1内部に着脱自在に固定するとともに、筐体1から分離して交換可能な分離ユニット40とを備えている。そして、遊技機Sの正面側には、筐体1の正面開口部27を開閉可能に塞ぐための扉2が形成されている。そして、筐体1の正面開口部27は、筐体1の上部に開口する開口上部25と、筐体1の下部に開口する開口下部26とを備えている。そして、前記扉2は、筐体1の開口上部13を開閉可能に塞ぐための上扉21と、筐体1の開口下部14を開閉可能に塞ぐための下扉22とを備えている。
【００１９】
前記分離ユニット40は、筐体1の正面開口部27の上部の開口上部25を開閉自在に塞ぐ上扉21と、複数の図柄19が表示された回転リール3及びこの回転リール3を回転表示させるための駆動手段を有するリールユニット10とを備えている。そして、リールユニット10の手前側には、上扉21が取り付けられてある。そして、このリールユニット10及び上扉21により、上扉21の裏にリールユニット10を取り付けて、両者が一体となった分離ユニット40を形成している。すなわち、通常のいわゆる新台入れ替えの際には、リールユニット10及び上扉21が一体となった分離ユニット40毎に入れ替えることができるものである。もちろん、新台入れ替えの際、上扉21は、そのままで、リールユニット10だけを交換することもできる。
【００２０】
なお、ここで、本明細書中の「前方向」や「手前方向」とは、交換作業者（或いは遊技者）が、遊技機Sの正面側の前に遊技機Sの方に顔を向けて座って、或いは、立っているような場合のかかる交換作業者（或いは遊技者）から見た場合の奥から手前への方向を意味する。したがって、前方向や手前方向とは、遊技機Sの奥から正面へ向かう方向を意味する。また、「後方向」とは、交換作業者（或いは遊技者）が、遊技機Sの正面側に遊技機Sの方を向いて位置しているような場合のかかる交換作業者（或いは遊技者）から見たときの手前から奥への方向を意味する。したがって、後方向とは、遊技機Sの正面から奥（後ろ）へ向かう方向を意味する。また、本明細書における「左方向」や「右方向」等の左右方向も、かかる遊技機Sの前面の方を向いて位置している者から見た場合の右方向や、左方向を意味する。
【００２１】
（筐体1）  前記筐体1は、全体形状が略箱状であって、底面に配置した底板75と、この底板75の左右端縁から上方に向かって設けられた左右の側板76と、この側板76の上端間に渡した天板77と、左右の側板76の後側の端面間に渡して、裏側を塞ぐ奥板78とからなる正面側に開口するものである。すなわち、底板75と、その左右の側板76と、天板77とにより、四角枠状の四角枠部材を形成し、この四角枠部材の正面側に正面開口部27が開口し、四角枠部材の奥側を奥板78が塞いでいるものである。そして、この筐体1の高さ方向略中央部には、二つの側板76の間に水平方向に中板7が渡してある。そして、この中板7は、特に図示していないが、分離ユニット40を筐体1の奥側内部に案内するためのガイドを左右側部に備えている。そして、底板75には、各部品に電気を供給するための電源装置（図示せず）と、投入された遊技媒体を貯留するとともに払い出し皿12に遊技媒体を払い出し可能なホッパーユニットとも呼ばれる払い出し装置5とが固定されている。
【００２２】
ここで、電源装置は、開口下部26の中板7の下面に取り付けられており、遊技店側が種々の設定を行うためのスイッチ等の操作部を有している。
前記電源装置及び払い出し装置5は、分離ユニット40の交換に際し、必ずしも交換する必要のないものであり、交換時には設置されたままにしておけるようになっているものである。
また、特に図示していないが、側板76の正面左側の下部には、前記下扉22を係合させ、回転自在に支持するための本体係合部が、上下方向に間隔をおいて二つ設けられている。
さらに、正面から向かって右側の側板76には、下扉22を閉めた際、下扉22をロックするためのロック突出片（図示せず）が、上下方向に間隔をおいて二つ設けられている。
【００２３】
前記筐体1の開口上部25の正面から向かって右側の側板76には、分離ユニット40を筐体1内部に取り付けた状態で回転リール3の前面側に位置して、遊技情報を表示可能な表示ユニット板30を回転自在に取り付けてある。具体的には、筐体1の開口上部25の正面から向かって右側の開口縁には、表示ユニット板30を回転自在に係合するための表示ユニット板用係合ヒンジ部60が形成されている。
なお、かかる表示ユニット板用係合ヒンジ部60を設けた筐体1の側板76の側面は、当該遊技機Sを設置した遊技ホールの島（遊技機Sを背中合わせに２列に並べている配置構造）の設備で隠れるように形成されている。これにより、表示ユニット板用係合ヒンジ部60付近の隙間から異物侵入によるゴト行為の発生を抑え、不正防止を図っている。
【００２４】
（表示ユニット板30）  前記表示ユニット板30は、開口上部25の前面側に位置して、遊技情報を表示可能なものである。この表示ユニット板30は、筐体1の開口上部25の正面から向かって右側の開口縁に表示ユニット板用係合ヒンジ部60により回転可能に軸支されているものである。この表示ユニット板30には表示ユニット板用係合ヒンジ部60の一方が設けられている。そして、上扉用係合ヒンジ部50と左右反対側、すなわち、正面から右側の筐体1の開口縁に、表示ユニット板30の表示ユニット板用係合ヒンジ部60と回転自在に係合する他方の表示ユニット板用係合ヒンジ部60が設けてある。この表示ユニット板用係合ヒンジ部60により、表示ユニット板30を、筐体1の右側の開口縁に、回転可能に係合させているものである。なお、表示ユニット板用係合ヒンジ部60は、具体的には、筐体1側に円柱棒状の円柱棒状部が、その中心軸が垂直となるように配置されて、この円柱棒状部の下端が筐体1の側板76に固定されている。そして、表示ユニット板30側に、かかる円柱棒状部の上から差し込み可能な円筒状の円筒部が、その中心軸が垂直となるように配置されて、この円筒部の上端が表示ユニット板30に固定されている。そして、かかる円柱棒状部に、円筒部を上から重ねてはめ込むことにより、表示ユニット板30を回転可能に軸支することができるように形成されている。もちろん、表示ユニット板用係合ヒンジ部60は、このような形状のものに限定されるものではなく、表示ユニット板30を回転可能に軸支することができるものであれば、他の構造のものでも良いものである。
【００２５】
前記表示ユニット板30及び上扉21は、図２に示すように、リールユニット10の前面側に閉じることにより、２枚の板状に重なるように配置されている。結果として、筐体1の正面開口部27の開口上部25を、表示ユニット板30及び上扉21の板状の構造物により、塞いでいるような状態となるものである。これにより、リールユニット10や、制御装置73への正面側からの手や異物での侵入を回避することができるように形成されている。
表示ユニット板30は、その上部に液晶表示装置34を備えている。この液晶表示装置34は、上扉21の表示窓28を介して、遊技者から視認が可能なものである。この液晶表示装置34は、遊技内容の種々の情報を映し出すことが可能なものであって、入賞や、当選の報知や、種々の演出情報を出力することが可能に形成されている。そして、表示ユニット板30は、透明なアクリル樹脂からなる図柄表示窓23を備えている。この図柄表示窓23及び上扉21の表示窓28を介して、筐体1内部の回転リール3の図柄を、遊技者が視認することが可能となるように形成されている。また、表示ユニット板30の下部には、７セグメントからなる遊技内容の数値情報を出力可能な情報表示部24が、３個形成されている。遊技媒体のクレジット数や、所定の特別遊技の遊技回数や、当選確率の異なる設定を決定する場合の設定値の表示等に使用されるものである。この情報表示部24も、上扉21の表示窓28を介して、遊技者が視認可能に形成されているものである。
【００２６】
（分離ユニット40）  前記分離ユニット40は、遊技ホールにおける、いわゆる新台入れ替えの際、遊技内容を変更するために筐体1に対して交換可能に形成されているものである。この分離ユニット40は、リールユニット10と、このリールユニット10の手前側に開閉可能に取り付けられた上扉21とから形成されているものである。このリールユニット10及び上扉21は、両者が一体となった状態で、筐体1から取り外し、また、取り付けることができるように形成されている。なお、リールユニット10から上扉21を取り外せば、いわゆる新台入れ替えの際、上扉21はそのまま交換せずに、リールユニット10だけを交換することができる。このように、リールユニット10だけの取り付けや、取り外しも可能となるように形成されている。
【００２７】
（リールユニット10）  前記分離ユニット40のリールユニット10は、筐体1に着脱自在に取り付けられているものである。このリールユニット10は、複数の図柄19が表示された回転リール3及びこの回転リール3を回転表示させるための駆動手段を有する。そして、このリールユニット10は、当該遊技機Sの各部品を制御するための制御装置73を備えている。
前記リールユニット10は、回転リール3、駆動手段及び制御装置73等を装着するための立方体状の支持体6を備えている。すなわち、回転リール3、駆動手段及び制御装置73は、これらを装着するための支持体6を介して、リールユニット10に組み込まれているものである。
【００２８】
ここで、回転リール3は、周囲に複数の図柄を表示した３個の回転リール3からなるものである。そして、駆動手段は、特に図示しないが、それぞれの回転リール3を回転させるための駆動モータを有している。そして、制御装置73は、回転リール3の回転等を制御するための主制御装置が透明樹脂からなる四角箱状の基板ケースの内部に収納されているものである。
前記支持体6の正面左側の開口縁には、上扉21を回転自在に係合するための上扉用係合ヒンジ部50が、上下方向に間隔をおいて二つ設けられている。
さらに、支持体6の正面右側の縦方向の開口縁には、上扉21を閉めた際、上扉21のロック可動片82をロックするためのロック固定片81が、上下方向に間隔をおいて二つ設けられている。このように、支持体6の左側の上扉用係合ヒンジ部50と、支持体6の右側のロック固定片81及び上扉21のロック可動片82とにより、上扉21が支持体6に回転可能に固定され、両者を一体のものにすることができる。
【００２９】
前記リールユニット10の支持体6の前面側の縦枠の左右には、筐体1のクリップ（図示せず）に固定するためのフック状のフック83が固定されている。このフック83にクリップを引っかけて止めることにより、リールユニット10は筐体1内部に固定されるものである。すなわち、このフック83及びクリップは、分離ユニット40の固定装置としての役割を有するものである。
なお、リールユニット10の支持体6には、回転リール3の前面側に表示ユニット板30が位置固定するように保持する保持部を設けても良いものである。この保持部とは、例えば、表示ユニット板30の背面側に設けた凹部に嵌合する凸部を支持体6の前面側に設けたもの等であって、その他の適宜なものを採用することができるものである。
【００３０】
（上扉21）  前記上扉21は、筐体1の開口上部13の開閉を行うための扉であって、リールユニット10の支持体6に回転自在かつロック可能に形成されている板状の扉である。そして、上扉21は、透明樹脂板からなる表示窓28が形成されている。遊技者は、回転リール3の図柄を、表示ユニット板30の図柄表示窓23と、表示窓28とを介して、正面側から見ることができるように形成されている。そして、上扉21の周囲には、アーチ状のランプ等を有する表示装置が設けられている。
なお、上扉21を筐体1の正面開口部27の周囲部について覆う額縁状の枠体に形成し、表示ユニット板30を、広範囲となるその枠内部全域に位置するように配設して保持するようにすると好適なものである。
【００３１】
さらに、上扉21の左側の裏面には、上扉用係合ヒンジ部50の一方が、上下方向に間隔をおいて二つ設けられている。そして、リールユニット10の正面側の左側に、かかる上扉21の上扉用係合ヒンジ部50と回転自在に係合する他方の上扉用係合ヒンジ部50が形成されてあり、これらの上扉用係合ヒンジ部50を係合させることにより、リールユニット10の左端に上扉21を回転自在に係合させることができるものである。
そして、上扉21の正面から向かって右側の裏面には、扉ロック機構が設けられている。この扉ロック機構は、上扉21の背面側から奥側に向かって突出する２本のロック可動片82を備えているものである。
【００３２】
なお、上述したフック83及びクリップを設けずに、ロック固定片81を筐体1の右側の側板76に設けて、上扉21のロック可動片82を筐体1のロック固定片81に固定するように形成しても良いものである。これにより、フック83及びクリップを省くことが可能となる。
（下扉22）  前記下扉22は、筐体1の開口下部26を開閉自在に塞ぐための、上扉21よりも幅厚の扉であり、筐体1の側板76に回転自在かつロック可能に形成されているものである。
前記下扉22の上部は、遊技機Sを作動させるための操作部18となっており、下扉22の上面は、閉扉時においては、上扉21よりも前側に突出するようになっている。また、下部には払い出された遊技媒体を溜めておくための箱状の払い出し皿12が形成されており、下扉22の略中央部には、遊技内容その他の案内表示をするための前パネル85が嵌め込まれている。
【００３３】
前記操作部18としては、下扉22の上面右端には媒体投入口71と、上面左側に設けられたベットスイッチ17と、正面側にはレバー式のスタートスイッチ15と、ボタン式のストップスイッチ16と、鍵穴87とが設けられている。なお、ベットスイッチ17とは、遊技媒体である貯留メダルをメダル投入に代えるためのものであり、スタートスイッチ15及びストップスイッチ16は、回転リール3の回転を開始及び停止させるためのものである。また、鍵穴87は、下扉22を解錠するためのものであり、この穴に所定の鍵を差し込んで回すと、下扉22の扉ロック機構のロックが解除されるものである。そして、下扉22を開いた後、上扉21の下端から延びるレバーを操作することにより、上扉21の扉ロック機構であるロック可動片82を可動させて、ロック固定片81から外し、上扉21を開けることができるように形成されている。
【００３４】
さらに、下扉22の裏面側には、前記媒体投入口71から投入された遊技媒体を誘導しながら遊技媒体の正偽を判断するための媒体セレクター4が設けられている。
また、下扉22の左側の裏面には、筐体1の本体係合部と係合可能な下扉係合部が上下方向に間隔をおいて二つ設けられている。そして、下扉22の右側の裏面には、筐体1の下扉用ロック固定片にロック可能なアンカー状の下扉用ロック可動片を有する扉ロック機構が設けられている。
なお、この下扉22は、上扉21の下部の前側を、前側から覆うような状態で、ロックされる。したがって、上扉21を閉じた状態で、下扉22を閉じた場合、下扉22を開けることなく、上扉21だけを開くことはできないように形成されている。
【００３５】
（作用）  本実施の形態に係る遊技機Sは、遊技情報を表示可能な表示ユニット板30を、筐体1の開口上部25側の側板76の開口縁に表示ユニット板用係合ヒンジ部60を介して、回転自在に取り付けてある。そして、筐体1から分離して分離可能な分離ユニット40は、リールユニット10及び上扉21を有している。このため、遊技ホールにおける機種変更、いわゆる新台入れ替えの際、分離ユニット40を取り外して新たな分離ユニット40を取り付けることにより、古い上扉21、リールユニット10及び制御装置73を、分離ユニット40として一体として一括して取り外し、新しい上扉21、リールユニット10及び制御装置73を、一体として、一纏めに筐体1に取り付けることができる。そして、そのような機種変更を伴う交換作業において、遊技情報を表示可能な表示ユニット板30は、筐体1に表示ユニット板用係合ヒンジ部60を介して、取り付けたまま、交換することなく、何度も使用することができる。これにより、遊技情報を表示可能な表示ユニット板30は、遊技内容が異なる複数の機種に渡って共用することができる。したがって、機種交換の際、その都度、遊技情報を表示可能な部品装置である液晶表示装置34や、情報表示部24等が必要となって、製造コストが高くなってしまうようなことを回避することができる。通常、機種変更のサイクルは、数ヶ月で行うものであるが、液晶表示装置34や、情報表示部24に使用される７セグメント等の部品の耐久期間は、数年以上有しているため、その差を埋めることができるものである。すなわち、回収した古い遊技機Sから、まだ、使用可能な液晶表示装置34や、情報表示部24を取り外して、新たな遊技機Sへ取り付ける手間を省くことができるものである。
【００３６】
また、分離ユニット40に表示ユニット板30が含まれていないため、分離ユニット40に表示ユニット板30の重量も含まれるような場合と比較して、分離ユニット40の総合重量を小さくすることができて、機種変更の交換作業の際、分離ユニット40の取り扱いを容易なものにすることができる。
また、分離ユニット40に表示ユニット板30が含まれていないため、遊技情報を表示する部品装置や、電飾等や、パネル板等の表示ユニット板30を破損しないようにするのに、輸送の際や、荷物の上げ下ろしの際の衝撃を吸収する包装等を簡単なものにすることができて、梱包作業を容易なものにすることができる。
【００３７】
また、液晶表示装置34等の精密部品を、遊技機と一緒に回収した場合は、その運搬の際の衝撃や、取り外し作業の不具合により、故障の原因となるようなことを回避することができるものである。
また、表示ユニット板30及び上扉21は、リールユニット10の前面側に２枚の板状に重なるように配置されているため、リールユニット10の前面側には、表示ユニット板30及び上扉21の板状の構造物による２重の防護壁が形成されることになる。このため、筐体1の正面側からの隙間より異物を挿入して、不正操作行為、いわゆるゴト行為の発生を抑えることができる。
【００３８】
更に、表示ユニット板30及び上扉21の回転軸を左右に配置しているため、内部に侵入するためには、両者を大きな角度、開放しなければならず、ゴト行為を抑えることができるものである。すなわち、筐体1外部から、筐体1内部に到達するためには、上扉21を、リールユニット10の左端側に配置した上扉用係合ヒンジ部50の周りに、リールユニット10の正面側の左側に向かって、９０度以上の角度で開放し、その後、表示ユニット板30を、リールユニット10の右端側に配置した表示ユニット板用係合ヒンジ部60の周りに、リールユニット10の正面側の右側に開かなければならない。この場合も、左端側に上扉21が配置されているので、表示ユニット板30を僅かな角度だけ開いて、その開いた隙間から手を差し込むことは容易ではなく、この表示ユニット板30も、同様に、９０度以上の大きな角度、開放しなければ、筐体1内部に侵入することは容易ではない。このように、上扉21及び表示ユニット板30を左右に大きく開放しなければならず、周囲の者には、上扉21や表示ユニット板30を開放している状態が、明瞭に認識可能となるものである。これにより、ゴト行為の発生を抑制することができる。さらに、上扉21を開いた後、表示ユニット板30を開くという、所定の手順を経なければ筐体1内部に到達しないため、ゴト行為者が、短時間で、上扉21だけを少しだけ開けて、その隙間から筐体1内部に手や異物を入れて簡単にゴト行為が行われるようなことを抑えることができる。
【００３９】
（他のバリエーション）  上述した実施形態では、表示ユニット板30の一部に、液晶表示装置34をはめ込んで使用していたが、特にこれに限定されるものではなく、表示ユニット板30の全体を、図５に示すように、板状の液晶表示装置である液晶パネル31にしても良いものである。そして、この液晶パネル31の特性により、液晶パネル31の図柄表示窓23に相当する部分を、光が透過可能な状態、いわゆる透明な状態にすることにより、筐体1内部の回転リール3の図柄19を視認することができる。また、その他の部分は、液晶パネル31の特性により、種々の遊技情報を表示させることができるものである。このようにすると、表示ユニット板30が液晶パネルであるため、単価の比較的高い、また、耐久限度期間が、機種変更のサイクル期間よりも長い、液晶パネルを、機種変更毎に、交換する必要がなく、製造コストを抑えることができる。また、分離ユニット40に精密部品である液晶パネル31を有さないため、分離ユニット40の取り扱いを容易なものにすることができる。
【００４０】
また、この表示ユニット板30を、かかる液晶パネル31ではなく、そのような電子部品装置を有さない装飾パネル32（図５）にしても良いものである。この装飾パネル32は、透明なアクリル樹脂の表面に、遊技に登場するキャラクターや、遊技内容に関連するデザイン画や、遊技内容の文字情報を描いたものである。そして、図柄表示窓23に相当する部分には、何も描かずに透明な状態とすることにより、筐体1内部の回転リール3の図柄19を外部から視認可能とするものである。このようにすると、表示ユニット板30が装飾パネル32を備えているため、装飾パネル32を機種変更毎に、交換する必要がなく、製造コスト低減化、取り扱い容易化、梱包作業の容易化を図ることができる。また、逆に、装飾パネル32だけを簡単に取り替えることもできるため、簡単に、遊技外観の印象を替えることもできるものである。
【００４１】
また、上述した実施形態では、表示ユニット板30は、内部に液晶表示装置34や、図柄表示窓23をはめ込んで使用していたが、そのように液晶表示装置34を内部に固定するのではなく、図６に示すように、液晶表示装置34や、図柄表示窓23を有するスライド挿入部35を、コ字状に切り欠いた表示ユニット板30の本体から、スライドさせて、簡単に脱着することができるように形成しても良いものである。この表示ユニット板30のコ字状に切り欠いた縁には、スライド挿入部35をスライド可能に保持するスライド溝36が形成されているものである。これにより、液晶表示装置34の故障や不具合が発生したような場合には、表示ユニット板30全体を取り外す必要がなく、スライド挿入部35だけを交換するだけで、液晶表示装置34の交換を行うことができるものである。
【００４２】
また、上述した実施の形態では、表示ユニット板30は、平板状のものに、透明部分を形成して、図柄表示窓23を構成していたが、図７に示すように、回転リール3の前面側を開口状態にして、回転リール3の前面側の周囲に形成するようにしても良いものである。このようにすると、表示ユニット板30を、回転リール3の前面側の周囲に形成して、回転リール3の前面側には何も形成していないため、上扉21及び表示ユニット板30を閉めた状態で、回転リール3を前面側から見た場合、回転リール3を表示ユニット板30により邪魔されずに、見ることができる。これにより、前面側から回転リール3の視認性を良好なものにすることができて、回転リール3の視認を確実なものにすることができる。
【００４３】
また、表示ユニット板30を筐体1から着脱自在に取り外し可能に形成しても良いものである。具体的には、表示ユニット板用係合ヒンジ部60の筐体1側の部分と表示ユニット板30側の部分とが簡単に取り外せるように形成されているものである。そして、リールユニット10の支持体6には、回転リール3の前面側に表示ユニット板30が固定するように保持する保持部を設けることにより、筐体1から取り外した表示ユニット板30を、支持体6のかかる保持部に保持させたままの状態で、分離ユニット40と一体化した状態で、表示ユニット板30も筐体1から分離させることが可能となる。これにより、上扉21及びリールユニット10の交換に加えて、表示ユニット板30の交換も必要な場合には、表示ユニット板30も、上扉21及びリールユニット10と一緒に交換して、運搬移送させることが可能となり、交換作業の容易化を図ることができる。
【００４４】
また、上述した実施の形態の表示ユニット板用係合ヒンジ部60を設けた箇所において、図８に示すように、筐体1の側板76の前面側のヒンジ凹部91の前面側の隙間に嵌り込むように上扉21の背面側から突出するヒンジ凸部92を上扉21の背面側に設けても良いものである。このヒンジ凸部92を設けることにより、筐体1の側面からワイヤ等の異物を筐体1内部に挿入して不正行為を行うようなゴト行為の発生を防止することができる。なお、ヒンジ凹部91の隙間等の筐体1の側板76の側面は、当該遊技機Sを設置した遊技ホールの島（遊技機Sを背中合わせに２列に並べている配置構造）の設備で隠れるように形成することにより、さらに、不正防止を図れるものである。
【００４５】
また、上述した実施の形態では、遊技媒体として円板状の遊技メダルを使用しているスロットマシンであるが、遊技媒体として、球状の遊技球を使用する、いわゆるパロットに適用することもできるものである。
【図面の簡単な説明】
【００４６】
【図１】本発明の実施の形態であって、筐体から分離ユニットを取り外している状態を示す外観斜視図である。
【図２】本発明の実施の形態であって、分離ユニットを示す横断面図である。
【図３】本発明の実施の形態であって、筐体内部に分離ユニットを挿入して、上扉及び表示ユニット板を開いている状態を示す外観斜視図である。
【図４】本発明の実施の形態であって、遊技機を示す外観正面図である。
【図５】本発明の他の実施の形態であって、筐体内部に分離ユニットを挿入して、上扉及び表示ユニット板を開いている状態を示す外観斜視図である。
【図６】本発明の他の実施の形態であって、筐体内部に分離ユニットを挿入して、上扉及び表示ユニット板を開いている状態を示す外観斜視図である。
【図７】本発明の他の実施の形態であって、筐体内部に分離ユニットを挿入して、上扉及び表示ユニット板を開いている状態を示す外観斜視図である。
【図８】本発明の他の実施の形態であって、側板のヒンジ凹部の前面側の隙間に上扉のヒンジ凸部が嵌り込んでいる状態を示す外観側面図である。
【符号の説明】
【００４７】
S  遊技機                              1  筐体
2  扉                                  3  回転リール
4  媒体セレクター                      5  払い出し装置
6  支持体                              7  中板
8  リール本体                          10  リールユニット
11  メダル投入口                        12  払い出し皿
13  前パネル                            15  スタートスイッチ
16  ストップスイッチ                    17  ベットスイッチ
18  操作部                              19  図柄
21  上扉                                22  下扉
23  図柄表示窓                          24  情報表示部
25  開口上部                            26  開口下部
27  正面開口部                          28  表示窓
30  表示ユニット板                      31  液晶パネル
32  装飾パネル                          34  液晶表示装置
35  スライド挿入部                      36  スライド溝
40  分離ユニット                        50  上扉用係合ヒンジ部
60  表示ユニット板用係合ヒンジ部        71  媒体投入口
72  媒体払い出し装置                    73  制御装置
74  払い出し口                          75  底板
76  側板                                77  天板
78  奥板                                81  ロック固定片
82  ロック可動片                        83  フック
85  前パネル                            86  表示装置
87  鍵穴                                91  ヒンジ凹部
92  ヒンジ凸部
【図１】
2006102287.tif 000003
【図２】
2006102287.tif 000004
【図３】
2006102287.tif 000005
【図４】
2006102287.tif 000006
【図５】
2006102287.tif 000007
【図６】
2006102287.tif 000008
【図７】
2006102287.tif 000009
【図８】
2006102287.tif 000010